(57)【特許請求の範囲】
【請求項１】
回路接地と、
前記回路接地に対して第1の不平衡信号ポートを形成する第1の端部を有する第1の導体、および前記第1の導体に誘導結合される第2の導体を含む第1の伝送線路であって、前記第2の導体が、前記回路接地に接続される第1の端部を有する、第1の伝送線路と、
第3の導体および前記第3の導体に誘導結合される第4の導体を含む第2の伝送線路であって、前記第3の導体は、前記第1の導体の第2の端部に接続される第1の端部および第1の平衡信号ポートを形成する第2の端部を有する、第2の伝送線路と、
第5の導体および前記第5の導体に誘導結合される第6の導体を含む第3の伝送線路であって、前記第5の導体が、前記第1の導体の前記第2の端部に接続される第1の端部および前記第1の平衡信号ポートに接続される第2の端部を有する、第3の伝送線路と、
第7の導体および前記第7の導体に誘導結合される第8の導体を有する第4の伝送線路であって、前記第7の導体が、前記第2の導体の第2の端部に接続される第1の端部および第2の平衡信号ポートを形成する第2の端部を有する、第4の伝送線路と、
第9の導体および前記第9の導体に誘導結合される第10の導体を有する第5の伝送線路であって、前記第9の導体が、前記第2の導体の前記第2の端部に接続される第1の端部および前記第2の平衡信号ポートに接続される第2の端部を有する、第5の伝送線路と
を含み、
前記第4、第6、第8、および第10の導体が、一緒に接続されるそれぞれの第1の端部および一緒に接続されるそれぞれの第2の端部を有する、合成器/分配器。
【請求項２】
前記第4、第6、第8、および第10の導体の前記それぞれの第1の端部かまたは前記第2のそれぞれの端部が、回路接地に接続される、請求項1に記載の合成器/分配器。
【請求項３】
前記第4、第6、第8、および第10の導体の前記それぞれの第2の端部が、前記第3、第5、第7、および第9の導体の前記それぞれの第2の端部に最も近く、前記第4、第6、第8、および第10の導体の前記それぞれの第2の端部が、回路接地に接続される、請求項2に記載の合成器/分配器。
【請求項４】
前記第2および第3の伝送線路を取り囲むフェライトスリーブをさらに含む、請求項1に記載の合成器/分配器。
【請求項５】
前記フェライトスリーブが、前記第4および第5の伝送線路も取り囲む、請求項4に記載の合成器/分配器。
【請求項６】
前記第4および第6の導体が、それらの長さに沿って接続されて単一複合導体を形成する、請求項1に記載の合成器/分配器。
【請求項７】
前記第4、第6、第8、および第10の導体が、それらの長さに沿って接続されて単一複合導体を形成する、請求項1に記載の合成器/分配器。
【請求項８】
回路接地と、
前記回路接地に対して第1の不平衡信号ポートを形成する第1の端部を有する第1の中心導体、および前記第1の中心導体に誘導結合される第1の外部導体を含む第1の同軸伝送線路であって、前記第1の外部導体が、前記回路接地に接続される第1の端部を有する、第1の同軸伝送線路と、
第2の中心導体および前記第2の中心導体に誘導結合される第2の外部導体を含む第2の同軸伝送線路であって、前記第2の中心導体が、前記第1の中心導体の第2の端部に接続される第1の端部および第1の平衡信号ポートを形成する第2の端部を有する、第2の同軸伝送線路と、
第3の中心導体および前記第3の中心導体に誘導結合される第3の外部導体を含む第3の同軸伝送線路であって、前記第3の中心導体が、前記第1の中心導体の前記第2の端部に接続される第1の端部および前記第1の平衡信号ポートに接続される第2の端部を有する、第3の同軸伝送線路と、
第4の中心導体および前記第4の中心導体に誘導結合される第4の外部導体を有する第4の同軸伝送線路であって、前記第4の中心導体が、前記第1の外部導体の第2の端部に接続される第1の端部および第2の平衡信号ポートを形成する第2の端部を有する、第4の同軸伝送線路と、
第5の中心導体および前記第5の中心導体に誘導結合される第5の外部導体を有する第5の同軸伝送線路であって、前記第5の中心導体が、前記第1の外部導体の前記第2の端部に接続される第1の端部および前記第2の平衡信号ポートに接続される第2の端部を有する、第5の同軸伝送線路とを含み、
前記第2、第3、第4、および第5の外部導体が、一緒に接続されるそれぞれの第1の端部および一緒に接続されるそれぞれの第2の端部を有する、双方向合成器/分配器。
【請求項９】
前記第2、第3、第4、および第5の外部導体の前記それぞれの第1の端部かまたは前記第2のそれぞれの端部が、回路接地に接続される、請求項8に記載の合成器/分配器。
【請求項１０】
前記第2、第3、第4、および第5の外部導体の前記それぞれの第2の端部が、前記第2、第3、第4、および第5の中心導体の前記それぞれの第2の端部に最も近く、前記第2、第3、第4、および第5の外部導体の前記それぞれの第2の端部が、回路接地に接続される、請求項9に記載の合成器/分配器。
【請求項１１】
前記第2および第3の同軸伝送線路を取り囲むフェライトスリーブをさらに含む、請求項8に記載の合成器/分配器。
【請求項１２】
前記フェライトスリーブが、前記第4および第5の同軸伝送線路も取り囲む、請求項11に記載の合成器/分配器。
【請求項１３】
前記第2および第3の外部導体は、それらの長さに沿って接続されて単一複合外部導体を形成する、請求項8に記載の合成器/分配器。
【請求項１４】
前記第2、第3、第4、および第5の外部導体は、それらの長さに沿って接続されて単一複合外部導体を形成する、請求項8に記載の合成器/分配器。
【発明の詳細な説明】
【技術分野】
【０００１】
本発明は、電力合成器／分配器に関する。
【０００２】
関連出願
この出願は、2011年9月20に出願された米国仮出願第61/536,951号の便益を主張するものであり、その出願は、参照により本明細書に全体としてあらゆる目的のために組み込まれる。
【背景技術】
【０００３】
軍事用途などのある用途については、広帯域幅が、安全なスペクトル拡散通信のために必要とされ、高電力が、長距離のために必要とされる。高電力広帯域通信システムは、高電力広帯域アンテナを必要とする。これらのアンテナはしばしば、それらが一緒に使用される所望の送信機または受信機と整合しない入力インピーダンスを有する。そのような状況では、バランが、アンテナのインピーダンスを送信機もしくは受信機のインピーダンスに変換するために、または不平衡信号と平衡信号との間で転換するために使用できる。大きな帯域幅が望まれるときは、同軸バランが、しばしば使用される。バランのさまざまな構成は、米国特許第6,750,752号および第7,692,512号で開示され、それの開示は、参照により本明細書にあらゆる目的のために組み込まれる。
【０００４】
単純な信号源は、2つの端子、ソース端子およびリターン端子を有し、その場合には、通常、接地面が、リターン経路のために使用される。接地面リターンは、単一導体およびその下の接地面が完全な信号経路を形成するので、回路配線を簡単にする。接地面の電圧はそのとき、この信号のための基準である。これはしばしば、「不平衡回路」、または「シングルエンド回路」と呼ばれる。そのような「不平衡回路」では、ワイヤーが交差するまたは互いに平行に走るとき、望ましくない結合があり得る。
【０００５】
そのような結合を低減するための一方法は、接地面リターン経路がなく、一方が信号を運び、もう一方がリターン信号を運ぶ、2つのワイヤーを使用することである。AC信号に関しては、どちらかのワイヤーが、信号を運び、もう一方が、リターン信号を運ぶと考えることができる。他の回路への結合を最小限にするためには、2つのワイヤーを流れる信号電流は、正確に同じで、位相が180度ずれていることが強く望まれる。すなわち、対の一方のワイヤーについてのリターン電流はすべて、もう一方のワイヤーによって運ばれ、回路は、平衡を保たれる。これによって、リターン電流が接地面によって運ばれないことが保証される。実際には、そのような完全に平衡状態または差動の電流は、単に理論的目標にすぎない。
【０００６】
平衡状態または差動の入力接続および出力接続を使用する増幅器では、入力信号および出力信号の結合によって発振が引き起こされる可能性が低く、周囲の回路によって導入される外来ノイズは少ない。このため、事実上すべての高利得演算増幅器は、差動である。「バラン」は、不平衡信号源を平衡信号源に、かつその逆に転換する結合デバイスである。時にはバランは、平衡端子と接地との間がほとんど完全に絶縁されるように作られる。時にはバランは、各平衡端子が接地を基準にするが、しかし等しくかつ逆の電圧がこれらの端子に現れるように作られる。絶縁される場合には、不平衡電圧は、接地への高インピーダンスに出会い、不平衡電流が流れることを困難にし、一方もう1つの場合には、どんな不平衡電流も、接地への短絡に出会い、平衡回路に入る電圧を最小限にする。マイクロ波バランは、これらの種類のどちらか、または2つの混合とさえすることができる。いずれの場合にも、2つの等しい不平衡負荷を2つの平衡端子に、それらの接地端子が一緒に接地に接続されるように接続され得る。理想的には、バランへ入力される不平衡信号は、2つの不平衡負荷に等しく分配されることになる。それ故に、バランは、電力分配器または合成器として使用されることがあり、その場合、平衡端子に接続される2つの不平衡負荷または信号源は、位相が180度ずれて動作していることになる。
【発明の概要】
【課題を解決するための手段】
【０００７】
一例では、合成器/分配器は、回路接地および5つの伝送線路を含み得る。第1の伝送線路は、回路接地に対して第1の不平衡信号ポートを形成する第1の端部を有する第1の導体、および第1の導体に誘導結合される第2の導体を含むことができ、第2の導体は、回路接地に接続される第1の端部を有する。第2の伝送線路は、第3の導体および第3の導体に誘導結合される第4の導体を含むことができ、第3の導体は、第1の導体の第2の端部に接続される第1の端部および第1の平衡信号ポートを形成する第2の端部を有する。第3の伝送線路は、第5の導体および第5の導体に誘導結合される第6の導体を含み得る。第5の導体は、第1の導体の第2の端部に接続される第1の端部および第1の平衡信号ポートに接続される第2の端部を有し得る。第4の伝送線路は、第7の導体および第7の導体に誘導結合される第8の導体を有し得る。第7の導体は、第2の導体の第2の端部に接続される第1の端部および第2の平衡信号ポートを形成する第2の端部を有し得る。第5の伝送線路は、第9の導体および第9の導体に誘導結合される第10の導体を有し得る。第9の導体は、第2の導体の第2の端部に接続される第1の端部および第2の平衡信号ポートに接続される第2の端部を有し得る。第4、第6、第8、および第10の導体は、一緒に接続されるそれらの第1の端部、および一緒に接続されるそれらの第2の端部を有する。用途に応じて、これらの接続された第1の端部および接続された第2の端部には何も取り付けられなくてもよく、または第1の端部かもしくは第2の端部が、接地に接続される可能性もあるが、しかし両端部を接地するように両方が、バランを短絡することにはならない。第2の端部を接地することは、バランの出力を電圧平衡状態にさせ、好ましい接続である。
【０００８】
別の例では、双方向合成器/分配器は、回路接地および5つの同軸伝送線路を含んでもよい。第1の同軸伝送線路は、回路接地に対して第1の不平衡信号ポートを形成する第1の端部を有する第1の中心導体、および第1の中心導体に誘導結合される第1の外部導体を含み得る。第1の外部導体は、回路接地に接続される第1の端部を有し得る。第2の同軸伝送線路は、第2の中心導体および第2の中心導体に誘導結合される第2の外部導体を含み得る。第2の中心導体は、第1の中心導体の第2の端部に接続される第1の端部および第1の平衡信号ポートを形成する第2の端部を有し得る。第3の同軸伝送線路は、第3の中心導体および第3の中心導体に誘導結合される第3の外部導体を含み得る。第3の中心導体は、第1の中心導体の第2の端部に接続される第1の端部および第1の平衡信号ポートに接続される第2の端部を有し得る。第4の同軸伝送線路は、第4の中心導体および第4の中心導体に誘導結合される第4の外部導体を有し得る。第4の中心導体は、第1の外部導体の第2の端部に接続される第1の端部および第2の平衡信号ポートを形成する第2の端部を有し得る。第5の同軸伝送線路は、第5の中心導体および第5の中心導体に誘導結合される第5の外部導体を有し得る。第5の中心導体は、第1の外部導体の第2の端部に接続される第1の端部および第2の平衡信号ポートに接続される第2の端部を有し得る。第2、第3、第4、および第5の外部導体は、一緒に接続されるそれらの第1の端部、および一緒に接続されるそれらの第2の端部を有する。用途に応じて、これらの接続された第1の端部および接続された第2の端部には何も取り付けられなくてもよく、または第1の端部かもしくは第2の端部は、接地に接続される可能性があるが、しかし両方ではない。
【図面の簡単な説明】
【０００９】
【図１】分配器/合成器の例の略図である。
【図２】分配器/合成器の別の例の略図である。
【図３】同軸伝送線路を有する電力分配器/合成器の例の略図である。
【発明を実施するための形態】
【００１０】
図1を参照すると、合成器/分配器は、全体的に10で示される。合成器/分配器は、合成器/分配器回路、分配器/合成器、分配器、または合成器と呼ばれることもあり、信号および電力は、複数入力を単一出力に合成するかまたは単一入力を複数出力に分けるためにそれらを通ってどちらの方向に導かれてもよいと理解される。
【００１１】
合成器/分配器10は、第1の伝送線路12、第2の伝送線路14、第3の伝送線路16、第4の伝送線路18、および第5の伝送線路20を含む、複数の伝送線路を含むことができる。これらの伝送線路のそれぞれは、技術的によく知られているさまざまな形態の1つとして構築され得る。例えば、伝送線路は、同軸伝送線路、ツイストペア、ストリップ線路、共平面導波路、スロット線路、またはマイクロストリップ線路であってよい。どんな形態であっても、各伝送線路は、導体間の電圧差によって定義される信号を導くまたは伝送する一対の電気的に相隔たり、誘導結合される導体を含み得る。
【００１２】
伝送線路12は、第1の導体24および第2の導体26を含み得る。第1の導体24の第1の端部は、不平衡ポート28に接続されるかまたはそれを形成することができる。各ポートは、アクセス可能であろうとなかろうと、合成器/分配器10の特性が定義できる場所であり得る。第2の導体26の対応する第1の端部は、回路接地30に接続され得る。伝送線路12は、バラン32であってもよく、導体24および26のそれぞれの第2の端部に平衡信号を有する。伝送線路12はさらに、フェライトコアもしくはスリーブ34に巻き付けられるかまたはそれを通り抜けてもよい。
【００１３】
第2の伝送線路14は、互いに誘導結合する第3の導体36および第4の導体38を含み得る。第3の導体36の第1の端部は、図示されるように、第1の導体24の第2の端部に接続される第1の端部を有し得る。導体36の第2の端部は、第1の平衡信号ポート40を形成するかまたはそれに接続される。
【００１４】
この例では、第3の伝送線路16は、互いに誘導結合する第5の導体42および第6の導体44を含む。第5の導体は、第1の導体24の第2の端部に接続され、それによって第3の導体の第1の端部に接続される第1の端部を有する。導体36および42の信号は、同相であるので、導体42の第2の端部もまた、第1の平衡信号ポート40に接続され、それによって導体36に接続される。導体38および44のそれぞれの端部は、一緒に接続されて得る。さらに、導体38および44の端部のどちらかは、回路接地30に接続され得る。図1は、ポート40に近い端部が回路接地に接続され得ることを示す。
【００１５】
第4の伝送線路18は、互いに誘導結合する第7の導体46および第8の導体48を有し得る。第7の導体は、第2の導体26の第2の端部に接続される第1の端部を有することができ、第2の端部は、第2の平衡信号ポート50を形成するかまたはそれに接続され得る。
【００１６】
第5の伝送線路20はこの例では、第10の導体54に誘導結合される第9の導体52を有する。第9の導体の第1の端部は、第2の導体26の第2の端部に接続されることがあり、導体46および52の信号は、同相であるので、第2の端部は、第2の平衡信号ポート50に接続され、それによって導体46に接続され得る。導体48および54のそれぞれの端部は、一緒に接続され得る。さらに、導体48および54の端部のどちらかは、回路接地30に接続され得る。この例では、導体38、44、48、および54のそれぞれの端部は、図示されるように、一緒に接続され得る。
【００１７】
伝送線路14、16、18、および20のうちの1つまたは複数は、フェライトコアもしくはスリーブ56を通り抜けるかまたはそれに巻き付けられてもよい。この例では、4つの伝送線路14、16、18、および20はすべて、フェライトスリーブ56を通り抜けてもよい。
【００１８】
第2および第3の伝送線路14および16は、伝送線路12の第1の導体24とポート40との間で並列に接続され、第4および第5の伝送線路18および20は、伝送線路12の第2の導体26とポート50との間で並列に接続されていることがわかる。5つの線路がすべて50オーム(R)の線路の場合、伝送線路14および16の並列組合せは、伝送線路12の第1の導体24に25オーム(R/2)のインピーダンスとして見え、伝送線路18および20の並列組合せは、第2の導体26に25オーム(R/2)のインピーダンスとして見える。その結果、それぞれが25オーム(R/2)のインピーダンスを有する、伝送線路の2つの並列組合せは、伝送線路12の導体24および26の第2の端部の両端間に50オーム(R/2+R/2)の直列インピーダンスを提供する。信号を複数線路にわたって導くことは、普通ならば単一伝送線路によって散逸されることになる損失を分散し、増加した電力が伝送線路の組合せによって運ばれることを可能にする。
【００１９】
合成器/分配器10の変形形態は、図2で合成器/分配器60として示される。合成器/分配器10の要素と同じであってもよい合成器/分配器60の要素は、同じ参照番号で示され、合成器/分配器10に関しての説明が、当てはまる。合成器/分配器60は、別々の導体38および44を有する代わりに、複合導体62が導体36および42に誘導結合され、第2および第3の伝送線路64および66を形成するという点で合成器/分配器10と異なる。同様に複合導体68は、導体46および52に誘導結合され、第4および第5の伝送線路70および72を形成する。複合導体62および68のそれぞれの端部は、一緒に接続され、ポート40および50に近い導体62および68の端部はまた、回路接地30にも接続される。その他の点では、合成器/分配器60は、上で論じた合成器/分配器10と同様に機能し、それよりも小型である。
【００２０】
図3を参照すると、全体的に80で示される合成器/分配器は、合成器/分配器10または合成器/分配器60の例であり得る。合成器/分配器80は、第1の同軸伝送線路82、第2の同軸伝送線路84、第3の同軸伝送線路86、第4の同軸伝送線路88、および第5の同軸伝送線路90を含む、複数の同軸伝送線路を含み得る。
【００２１】
同軸伝送線路82は、第1の中心導体94および第1のシールドまたは外部導体96を含み得る。第1の中心導体94の第1の端部は、不平衡ポート98に接続されるまたはそれを形成し得る。第1の外部導体96の対応する第1の端部は、回路接地100に接続され得る。同軸伝送線路82は、導体94および96のそれぞれの第2の端部に平衡信号を有するバラン102であり得る。同軸伝送線路82はさらに、フェライトコアもしくはスリーブ104に巻き付けられるかまたはそれを通り抜けてよい。
【００２２】
第2の同軸伝送線路84は、互いに誘導結合する第2の中心導体106および第2の外部導体108を含み得る。第2の中心導体106の第1の端部は、図示されるように、第1の中心導体94の第2の端部に接続される第1の端部を有し得る。導体106の第2の端部は、第1の平衡信号ポート110を形成するかまたはそれに接続される。
【００２３】
この例では、第3の同軸伝送線路86は、互いに誘導結合する第3の中心導体112および第3の外部導体114を含む。第3の中心導体は、第1の中心導体94の第2の端部に接続され、それによって第2の中心導体の第1の端部に接続される第1の端部を有する。導体106および112の信号は、同相であるので、導体112の第2の端部はまた、第1の平衡信号ポート110に接続され、それによって導体106に接続される。導体108および114のそれぞれの端部は、一緒に接続され得る。さらに、ポート110に近い導体108および114の端部は、回路接地100に接続され得る。
【００２４】
第4の同軸伝送線路88は、互いに誘導結合する第4の中心導体116および第4の外部導体118を有し得る。第4の中心導体は、第1の外部導体96の第2の端部に接続される第1の端部を有し得て、第2の端部は、第2の平衡信号ポート120を形成するかまたはそれに接続され得る。
【００２５】
第5の同軸伝送線路90はこの例では、第5の外部導体124に誘導結合される第5の中心導体122を有する。第5の中心導体の第1の端部は、第1の外部導体96の第2の端部に接続されることがあり、導体116および122の信号は、同相であるので、第2の端部は、第2の平衡信号ポート120に接続され、それによって導体116に接続され得る。導体118および124のそれぞれの端部は、一緒に接続され得る。さらに、ポート120に近い導体118および124の端部は、回路接地100に接続されることがあり、またはポート120から遠い導体118および124の端部が、回路接地に接続され得る。この例では、導体108、114、118、および124のそれぞれの端部は、図示されるように、一緒に接続され得る。都合がよい場合は、第2、第3、第4および第5の同軸伝送線路の外部導体は、それらの全長にわたって一緒に接続され得る。
【００２６】
同軸伝送線路84、86、88、および90のうちの1つまたは複数は、フェライトコアもしくはスリーブ126を通り抜けるかまたはそれに巻き付けられてよい。この例では、4つの同軸伝送線路84、86、88、および90はすべて、フェライトスリーブ126を通り抜けてよい。
【００２７】
合成器/分配器10と同様に、第2および第3の同軸伝送線路84および86は、同軸伝送線路82の第1の導体94とポート110との間で並列に接続され、第4および第5の同軸伝送線路88および90は、同軸伝送線路82の第2の導体96とポート120との間で並列に接続される。5つの同軸伝送線路が、すべて50オーム(R)の線路の場合、同軸伝送線路84および86の並列組合せは、同軸伝送線路82の第1の導体24に25オーム(R/2)のインピーダンスとして見え、同軸伝送線路88および90の並列組合せは、第2の導体96に25オーム(R/2)のインピーダンスとして見える。その結果、それぞれが25オーム(R/2)のインピーダンスを有する、同軸伝送線路の2つの並列組合せは、同軸伝送線路82の導体94および96の第2の端部の両端間に50オーム(R/2+R/2)の直列インピーダンスを提供する。複数線路にわたって信号を導くことは、普通ならば単一同軸伝送線路によって散逸されることになる損失を分散し、増加した電力が同軸伝送線路の組合せによって運ばれることを可能にする。
【００２８】
いくつかの例では、伝送線路84、86、88、および90は、両端部で一緒に接続されるシールドまたは外部導体を有することがあり、伝送線路のシールドはすべて、それらの長さに沿って一緒に接続され得る。シールドは、端部のどちらかで接地に接続されて得る。この例では、ポート110および120などの分割ポートに関連する端部が、接地に接続される。この例では、第2および第3の外部導体は、外部導体の長さに沿って接続され、単一の第1の複合外部導体128と考えられ得るものを形成する。同様に、第4および第5の外部導体は、外部導体の長さに沿って接続され、単一の第2の複合外部導体130を形成する。2つの複合外部導体対は、両端部で接続され、これらの4つの線路の全長に沿っても接続されて、4つの伝送線路すべてについて一般に単一複合導体とも呼ばれる単一複合外部導体132を形成し得る。
【００２９】
高周波数での同軸伝送線路についての損失は、表皮効果によって支配されることがあり、伝送線路での損失は、その直径に逆相関し得る。それ故に例えば、伝送線路Xは、高周波数、例えば250MHzで入力電力の1%を散逸する可能性がある。Xの半分の直径である別の伝送線路Yは、入力電力の2%を散逸する可能性がある。4つのそのようなY同軸伝送線路を上で述べたように一緒に接続するとき、入力電力は、4つの伝送線路を通り抜け、入力電力の2%を散逸するが、しかしその散逸は、4つの伝送線路にわたって分散される。それゆえ、それぞれが、入力電力の0.5%を散逸し、それに対応して温度上昇は、より大きな同軸伝送線路のそれの半分まで減少する。その上、4ワイヤー伝送線路は、より高電力だがより大きい直径の伝送線路よりもはるかに柔軟であり得る。より小さな直径の伝送線路は、フェライトまたは他のコアにより容易に巻き付けることができる。さまざまな他の直列および並列組合せならびに異なる特性インピーダンスが、電力分配器/合成器の所与の用途に使用され得る。
【００３０】
上の記述から、合成器/分配器は、回路接地および5つの伝送線路を含み得ると理解されよう。第1の伝送線路は、回路接地に対して第1の不平衡信号ポートを形成する第1の端部を有する第1の導体、および第1の導体に誘導結合される第2の導体を含むことができ、第2の導体は、回路接地に接続される第1の端部を有する。第2の伝送線路は、第3の導体および第3の導体に誘導結合される第4の導体を含むことができ、第3の導体は、第1の導体の第2の端部に接続される第1の端部および第1の平衡信号ポートを形成する第2の端部を有する。第3の伝送線路は、第5の導体および第5の導体に誘導結合される第6の導体を含み得る。第5の導体は、第1の導体の第2の端部に接続される第1の端部および第1の平衡信号ポートに接続される第2の端部を有し得る。第4の伝送線路は、第7の導体および第7の導体に誘導結合される第8の導体を有し得る。第7の導体は、第2の導体の第2の端部に接続される第1の端部および第2の平衡信号ポートを形成する第2の端部を有し得る。第5の伝送線路は、第9の導体および第9の導体に誘導結合される第10の導体を有し得る。第9の導体は、第2の導体の第2の端部に接続される第1の端部および第2の平衡信号ポートに接続される第2の端部を有し得る。
【００３１】
第4、第6、第8、および第10の導体は、一緒に接続されるそれぞれの第1の端部を有し得る。この例では、第4、第6、第8、および第10の導体のそれぞれの第2の端部は、接地に接続され得る。
【００３２】
フェライトスリーブは、第2、第3、第4、および第5の伝送線路を取り囲んでもよい。第4、第6、第8、および第10の導体は、それらの長さに沿って接続されて単一複合導体を形成し得る。
【００３３】
他の例では、双方向合成器/分配器は、回路接地および5つの同軸伝送線路を含み得る。第1の同軸伝送線路は、回路接地に対して第1の不平衡信号ポートを形成する第1の端部を有する第1の中心導体、および第1の中心導体に誘導結合される第1の外部導体を含み得る。第1の外部導体は、回路接地に接続される第1の端部を有し得る。第2の同軸伝送線路は、第2の中心導体および第2の中心導体に誘導結合される第2の外部導体を含み得る。第2の中心導体は、第1の中心導体の第2の端部に接続される第1の端部および第1の平衡信号ポートを形成する第2の端部を有し得る。第3の同軸伝送線路は、第3の中心導体および第3の中心導体に誘導結合される第3の外部導体を含み得る。第3の中心導体は、第1の中心導体の第2の端部に接続される第1の端部および第1の平衡信号ポートに接続される第2の端部を有し得る。第4の同軸伝送線路は、第4の中心導体および第4の中心導体に誘導結合される第4の外部導体を有し得る。第4の中心導体は、第1の外部導体の第2の端部に接続される第1の端部および第2の平衡信号ポートを形成する第2の端部を有し得る。第5の同軸伝送線路は、第5の中心導体および第5の中心導体に誘導結合される第5の外部導体を有し得る。第5の中心導体は、第1の外部導体の第2の端部に接続される第1の端部および第2の平衡信号ポートに接続される第2の端部を有し得る。
【００３４】
第2、第3、第4、および第5の外部導体は、一緒に接続されるそれぞれの第1の端部を有することができ、一緒にかつ回路接地に接続されるそれぞれの第2の端部を有し得る。
【００３５】
フェライトスリーブは、第2、第3、第4、および第5の同軸伝送線路を取り囲んでもよい。
【００３６】
第2、第3、第4、および第5の外部導体は、それらの長さに沿って接続されて単一複合外部導体を形成し得る。
【００３７】
上の記述は、例示的であることが意図されており、制限することは意図されていない。多くの他の実施形態は、上の記述を概観すると当業者には明らかであろう。したがって、本発明の範囲は、続いて添付されるいずれかのクレームを、そのようなクレームが権利を有する等価物の完全な範囲とともに参照して決定されるべきである。それに応じて、バラン、結合器、および合成器/分配器の実施形態が、具体的に図示され、述べられたが、多くの変形が、これら実施形態においてなされてもよい。本開示は、特徴、機能、要素および/または特性のさまざまな組合せを対象にする1つもしくは複数の独立したまたは相互依存の発明を含んでもよく、それの1つまたは複数は、クレームで定義されてもよい。特徴、機能、要素および/または特性の他の組合せならびに副組合せは、本出願または関連出願で後に特許請求されてもよい。また、そのような変形形態は、それらが異なる組合せを対象にするかまたは同じ組合せを対象にするか、範囲が異なるか、より広いか、より狭いかまたは等しいかにかかわらず、本開示の主題内に含まれると見なされる。現在特許請求されないクレームの利用可能性または重要性は、現在理解されなくてもよい。それに応じて、前述の実施形態は、例示的であり、単一の特徴もしくは要素、またはそれの組合せは、この出願または後の出願で特許請求され得るすべての可能な組合せに必須でない。各クレームは、前述の開示で明らかにされた発明を定義するが、しかしいずれか1つのクレームが、特許請求され得るすべての特徴または組合せを必ずしも包含しない。クレームが、「1つの」もしくは「第1の」要素またはそれの等価物を列挙する場合には、そのようなクレームは、1つまたは複数のそのような要素を含み、2つ以上のそのような要素を必要としないし排除もしない。さらに、識別された要素のための、第1、第2または第3などの順序を示す指標は、要素間を区別するために使用され、そのような要素の所要のまたは限られた数を示さず、別に具体的に述べられない限り、そのような要素の特定の位置または順序を示さない。
【産業上の利用可能性】
【００３８】
本開示で述べられる方法および装置は、遠隔通信、信号処理システム、ならびに無線周波数デバイスおよび回路が使用される他の用途に利用可能である。
【符号の説明】
【００３９】
10  合成器/分配器
12  第1の伝送線路
14  第2の伝送線路
16  第3の伝送線路
18  第4の伝送線路
20  第5の伝送線路
24  第1の導体
26  第2の導体
28  不平衡信号ポート
30  回路接地
32  バラン
34  フェライトコアまたはスリーブ
36  第3の導体
38  第4の導体
40  第1の平衡信号ポート
42  第5の導体
44  第6の導体
46  第7の導体
48  第8の導体
50  第2の平衡信号ポート
52  第9の導体
54  第10の導体
56  フェライトコアまたはスリーブ
【図１】
0005625025.tif 000002
【図２】
0005625025.tif 000003
【図３】
0005625025.tif 000004